(57)【要約】【課題】  この発明は、素材や大きさが異なった複数の衣服が嵩張らずに掛けられ、且つ、場所を取らず、簡単に誰でも移動可能な貫通孔付多段式ハンガーを開発・提供することにある。【解決手段】  そこで、この課題を解決する為に、ハンガー本体の幅と長さを段階的に変え、且つ、該ハンガーの中央上部にフックが貫通可能で、段階的に大きさを変えた楕円状又は円形状の貫通孔を設け、且つ、該貫通孔の中央後縁部に段階的に上下寸法長さを変えたフックを設け、且つ、該フックの直線上部には相互のフックを連結して支持可能な連結部材を設け、且つ、素材や大きさの異なった複数の衣服を一組にして嵩張り無く掛けられる様にしたものである。【選択図】  図１
2005040310.tif 000002
【特許請求の範囲】
【請求項１】
コート等の厚地衣服（Ｘ）と、スーツ等の中地衣服（Ｙ）と、カッターシャツ等の薄地衣服（Ｚ）を段階的に大きさや布地の厚みを違えた複数の衣服等を幅や長さを変えて吊り下げ易くした多段式ハンガーにおいて、吊り下げる衣服の大きさや厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央上部にフック（２ｂ）（３ｂ）が貫通可能で、段階的に大きさを変えた貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、素材や大きさの異なった複数の衣服を一組にして嵩張り無く掛けられることを可能にした事を特徴とする貫通孔付多段式ハンガー。
【請求項２】
コート等の厚地衣服（Ｘ）と、スーツ等の中地衣服（Ｙ）と、カッターシャツ等の薄地衣服（Ｚ）を段階的に大きさや布地の厚みを違えた複数の衣服等を幅や長さを変えて吊り下げ易くした多段式ハンガーにおいて、吊り下げる衣服の大きさや厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央上部にフック（２ｂ）（３ｂ）が貫通可能で、段階的に大きさを変えた貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、該各フック（１ｂ）（２ｂ）（３ｂ）の直線上部には相互のフックを連結して係止可能な連結部材（４ａ）（４ｂ）を設け、且つ、素材や大きさの異なった複数の衣服を一組にして嵩張り無く掛けられることを可能にした事を特徴とする請求項１記載の貫通孔付多段式ハンガー。
【請求項３】
吊り下げる衣服の大きさや布地の厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央前面部に、フック（２ｂ）（３ｂ）を前後方向又は上下方向に貫通可能にした切欠き部（Ｓ１）（Ｓ２）を有する貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、素材や大きさの異なった複数の衣服を一組にして嵩張り無く掛けられることを可能にした事を特徴とする貫通孔付多段式ハンガー。
【請求項４】
吊り下げる衣服の大きさや布地の厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央前面部に、フック（２ｂ）（３ｂ）を前後方向又は上下方向に貫通可能にした切欠き部（Ｓ１）（Ｓ２）を有する貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、該各フック（１ｂ）（２ｂ）（３ｂ）の直線上部には相互のフックを連結して係止可能な連結部材（４ａ）（４ｂ）を設け、且つ、素材や大きさの異なった複数の衣服を一組にして嵩張り無く掛けられることを可能にした事を特徴とする請求項３記載の貫通孔付多段式ハンガー。
【発明の詳細な説明】
【技術分野】
【０００１】
この発明は、ハンガーの中央上部に貫通孔を設け、多段式に衣服を掛ける事が可能なハンガーに関するものである。
【背景技術】
【０００２】
従来のハンガーには多種多様なものが市場に出ているが、代表的なものは衣服をハンガーに掛け、吊り下げ棒や紐等に並列に並べて掛ける事しか出来ず、場所を取る為、広い場所を要していた。
【０００３】
又、ハンガーの下部に吊り下げ棒を設けたものは、スカートやパンツ等の様に、クリップ等の止め具で固定出来るものに限られていた。（例えば、特許文献１を参照。）
【特許文献１】特許公開２０００−２１７６９４  又、ハンガーの中央下部に引掛用金具等の係止部材を設け、複数のハンガーを吊り下げ可能にしたものもあるが、荷重が最上部のハンガーに掛かり破損する為、軽いものしか吊り下げ出来ないし、複数の衣服を重ねて吊り下げる為、皺が生じる等の問題がある。（例えば、特許文献２を参照。）
【特許文献２】特許公開２００２−１３６４１５
【発明の開示】
【発明が解決しようとする課題】
【０００４】
そこで、この発明は上記の問題を解決する為、素材や大きさが異なった複数の衣服が嵩張らずに掛けられ、且つ、場所を取らず、簡単に誰でも移動可能な貫通孔付多段式ハンガーを開発・提供することにある。
【課題を解決するための手段】
【０００５】
そこで、この課題を解決する為に、ハンガー本体の幅と長さを段階的に変え、且つ、該ハンガーの中央上部にフックが貫通可能で、段階的に大きさを変えた楕円状又は円形状の貫通孔を設け、且つ、該貫通孔の中央後縁部に段階的に上下寸法長さを変えたフックを設け、且つ、該フックの直線上部には相互のフックを連結して係止可能な連結部材を設け、且つ、素材や大きさの異なった複数の衣服を一組にして嵩張り無く掛けられる様にしたものである。
【発明の効果】
【０００６】
この発明の効果として、ハンガー本体の幅と長さを段階的に変え、且つ、該ハンガーの中央上部にフックが貫通可能で、段階的に大きさを変えた楕円状又は円形状の貫通孔を設け、且つ、該貫通孔の中央後縁部に段階的に上下寸法長さを変えたフックを設ける事で、素材や大きさが異なった複数の衣服が嵩張らずに掛けられ、且つ、誰もが簡単に出し入れ出来、尚且つ、皺が生じ難い等の効果を奏する。
【０００７】
又、ハンガーを吊り下げるフックの直線上部には相互のフックを連結して係止可能な連結部材を設ける事で、複数のハンガーのフックを持たなくても良く、１つのフックを持って移動が可能な為、誰でも簡単に使用出来、且つ、各ハンガーにフックを設ける事で、荷重が分配され、強度的にも頑強である等、極めて有益なる効果を奏するものである。
【発明を実施するための最良の形態】
【０００８】
そこで、この発明の最良の形態として、まず、最上段のハンガー本体の幅は、コート等の厚地の衣服を吊り下げる為やや広めにとり、長さもやや長めに形成する。そして、中段のハンガー本体の幅は、スーツ等の中地の衣服を吊り下げる為中位で、長さも中位に形成する。又、下段のハンガー本体の幅は、カッターシャツ等の薄地の衣服を吊り下げる為細目にとり、長さも短目に形成する。
【０００９】
そして、各ハンガー本体中央上部の貫通孔部も段階的に徐々に小さくしていき、衣服が嵩張らない様にする。又、ハンガー本体のフック取り付け位置は、フックを貫通孔に通し易くする為中央後縁部にする。
【実施例１】
【００１０】
そこで、この発明の一実施例を図１〜図２に従って詳述すると、吊り下げる衣服の大きさや厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央上部にフック（２ｂ）（３ｂ）が貫通可能で、段階的に大きさを変えた貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、素材や大きさの異なった複数の衣服を一組にして嵩張り無く掛けられることを可能にした事を特徴とする貫通孔付多段式ハンガーから構成される。
【００１１】
又、コート等の厚地衣服（Ｘ）と、スーツ等の中地衣服（Ｙ）と、カッターシャツ等の薄地衣服（Ｚ）を段階的に大きさや布地の厚みを違えた複数の衣服等を幅や長さを変えて吊り下げ易くした多段式ハンガーにおいて、吊り下げる衣服の大きさや厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央上部にフック（２ｂ）（３ｂ）が貫通可能で、段階的に大きさを変えた貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、該各フック（１ｂ）（２ｂ）（３ｂ）の直線上部には相互のフックを連結して係止可能な連結部材（４ａ）（４ｂ）を設け、且つ、素材や大きさの異なった複数の衣服を一組にして嵩張り無く掛けられることを可能にした貫通孔付多段式ハンガーから構成される。
【００１２】
次に、この発明の部品構成及び詳細について説明すると、図１に示す様に、まず、部品構成は上段・中段・下段用の３種類の幅（Ｗ１）（Ｗ２）（Ｗ３）と長さ（Ｌ１）（Ｌ２）（Ｌ３）を有するハンガー本体（１ａ）（２ａ）（３ａ）と３種類の長さ（Ｆ１）（Ｆ２）（Ｆ３）を有するフックとフックを連結する為の連結部材（４ａ）（４ｂ）とで構成され、該ハンガー本体は上段（１ａ）・中段（２ａ）・下段（３ａ）とに分割され、且つ、該各ハンガー本体の幅と長さを吊り下げる衣服のサイズに適合した大きさに段階的に変えて、上段と中段のハンガーの中央上部には大きさの異なった楕円形状の貫通孔（Ｈ１）（Ｈ２）を設け、且つ、該各ハンガー本体中央後縁部に長さを段階的に変えたフック（１ｂ）（２ｂ）（３ｂ）を設け、且つ、該各フック間の直線上部には相互のフックを連結して係止可能な連結部材（４ａ）（４ｂ）を設けている。但し、各フック間を連結する連結部材（４ａ）（４ｂ）に関しては、用途に応じて付いていないタイプの物も有る。
【００１３】
そして、図３に示す様に、上段のハンガーにはコート等の厚地の衣服（Ｘ）を吊り下げ、中段のハンガーにはスーツ等の中地の衣服（Ｙ）を吊り下げ、下段のハンガーにはカッターシャツ等の薄地の衣服（Ｚ）を吊り下げれば、嵩張らずに、しかも最上部の衣服のスペース内に全て収納可能である。しかも、取り出しも連結部を外せば誰もが簡単に出来る構造である。
【実施例２】
【００１４】
吊り下げる衣服の大きさや布地の厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央前面部に、フック（２ｂ）（３ｂ）を前後方向又は上下方向に貫通可能にした切欠き部（Ｓ１）（Ｓ２）を有する貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、素材や大きさの異なった複数の衣服を一組にして嵩張り無く掛けられることを可能にした事を特徴とする貫通孔付多段式ハンガーから構成される。
【００１５】
又、吊り下げる衣服の大きさや布地の厚みに適合して段階的に幅（Ｗ１）（Ｗ２）（Ｗ３）と長さ（Ｌ１）（Ｌ２）（Ｌ３）を変えた複数のハンガー本体（１ａ）（２ａ）（３ａ）を設け、且つ、該各ハンガー本体の中央前面部に、フック（２ｂ）（３ｂ）を前後方向又は上下方向に貫通可能にした切欠き部（Ｓ１）（Ｓ２）を有する貫通孔（Ｈ１）（Ｈ２）を設け、且つ、該貫通孔の中央後縁部に段階的に上下寸法長さ（Ｆ１）（Ｆ２）（Ｆ３）を変えたフック（１ｂ）（２ｂ）（３ｂ）を設け、且つ、該各フック（１ｂ）（２ｂ）（３ｂ）の直線上部には相互のフックを連結して係止可能な連結部材（４ａ）（４ｂ）を設け、且つ、素材や大きさの異なった複数の衣服を一組にして嵩張り無く掛けられることを可能にした事を特徴とする貫通孔付多段式ハンガーから構成される。
【００１６】
図４に示す様に、実施例１の上段及び中段用ハンガー本体の貫通孔部の前面に吊り下げ用フックが前後方向に通せる様に切欠き部を設ければ、更に簡単に吊り下げが可能になる。
【産業上の利用可能性】
【００１７】
この発明は、素材や大きさが異なった複数の衣服が嵩張らずに掛けられ、且つ、場所を取らず、簡単に誰でも移動可能な貫通孔付多段式ハンガーを提供するものであって、一般の家庭は勿論、デパートやホテルや旅館等広範囲に寄与する点で産業上の利用可能性を有する。
【図面の簡単な説明】
【００１８】
【図１】この発明の一実施例を示し、（Ａ）は平面図で、（Ｂ）は正面図である。
【図２】この発明の一実施例を示し、（Ａ）は左側面図で、（Ｂ）は（Ａ）のａ部拡大詳細図である。
【図３】この発明の使用例を示し、正面図である。
【図４】この発明の他の実施例を示し、（Ａ）は平面図で、（Ｂ）は正面図である。
【符号の説明】
【００１９】
１  上段ハンガー
１'   切欠付上段ハンガー
１ａ  上段ハンガー本体
１ａ'   切欠付上段ハンガー本体
１ｂ  上段ハンガー用フック
２  中段ハンガー
２'   切欠付中段ハンガー
２ａ  中段ハンガー本体
２ａ'   切欠付中段ハンガー本体
２ｂ  中段ハンガー用フック
３  下段ハンガー
３'   切欠付下段ハンガー
３ａ  下段ハンガー本体
３ａ'   切欠付下段ハンガー本体
３ｂ  下段ハンガー用フック
４ａ  連津部材
４ｂ  連津部材
Ｆ１  上段フック長
Ｆ２  中段フック長
Ｆ３  下段フック長
Ｈ１  上段貫通孔
Ｈ２  中段貫通孔
Ｌ１  上段ハンガー本体の長さ
Ｌ２  中段ハンガー本体の長さ
Ｌ３  下段ハンガー本体の長さ
Ｓ１  上段ハンガー本体の切欠部
Ｓ２  中段ハンガー本体の切欠部
Ｗ１  上段ハンガー本体の幅
Ｗ２  中段ハンガー本体の幅
Ｗ３  下段ハンガー本体の幅
Ｘ  コート等の厚地の衣服
Ｙ  スーツ等の中地の衣服
Ｚ  カッターシャツ等の薄地の衣服
【図１】
2005040310.tif 000003
【図２】
2005040310.tif 000004
【図３】
2005040310.tif 000005
【図４】
2005040310.tif 000006